(57)【特許請求の範囲】
【請求項１】
試薬を用いて検体を分析する検体分析装置であって、
複数の測定項目に対応する複数の試薬が設置される試薬設置部を具備し、前記試薬設置部に設置された試薬を用いて検体を測定する測定部と、
表示部と、
前記複数の測定項目のそれぞれについて、前記試薬設置部に設置された試薬の残量と当日における予測使用量とを含む試薬情報を取得する取得手段と、
予め実施日が定められた保守作業を示し、登録された保守作業情報から、前記当日が実施日である保守作業を示す保守作業情報を抽出する抽出手段と、
前記取得手段によって取得された前記試薬情報を表示するための第１領域、及び、前記抽出手段によって抽出された前記保守作業情報を表示するための第２領域を同時に表示する保守状況確認画面を、初期画面として前記表示部に表示させる制御部と、
を備える、
検体分析装置。
【請求項２】
前記制御部は、ユーザがログオンを行うためのログオン画面を前記表示部に表示させ、
受け付けたユーザ情報に基づいて、ユーザのログオンの可否を判断するログオン処理を実行し、
前記ログオン処理によりユーザのログオンが許可された後に、前記保守状況確認画面を前記表示部に表示させるように構成されている、
請求項１に記載の検体分析装置。
【請求項３】
前記制御部は、前記保守状況確認画面を前記初期画面として設定可能に構成されている、
請求項１又は２に記載の検体分析装置。
【請求項４】
前記制御部は、前記検体分析装置に互いに異なる複数の機能をそれぞれ実行させるための選択可能な複数の選択部を有するメニュー画面を前記初期画面として設定可能に構成されている、
請求項３に記載の検体分析装置。
【請求項５】
前記第１領域に表示される前記試薬情報は、前記当日に試薬が使用された場合に予測される試薬の不足量をさらに含む、
請求項１乃至４の何れか１項に記載の検体分析装置。
【請求項６】
前記不足量は、前記当日に補充又は交換が必要となる試薬を示す、
請求項１乃至５の何れか１項に記載の検体分析装置。
【請求項７】
前記測定部は、試薬以外の消耗品が設置される消耗品設置部をさらに具備し、
前記保守状況確認画面は、前記消耗品設置部における消耗品の補充が必要か否か又は／及び廃棄容器の収容量が所定量以上であるか否かを示す消耗品情報を表示するための第３領域を含む、
請求項１乃至６の何れか１項に記載の検体分析装置。
【請求項８】
前記測定部は、液体を吸引するための吸引管を含み、
前記消耗品設置部は、前記吸引管が液体を吸引する際に前記吸引管に装着されるピペットチップを貯留するためのチップ貯留部を含み、
前記第３領域に表示される消耗品情報は、前記チップ貯留部におけるピペットチップの補充が必要か否かを示す、
請求項７に記載の検体分析装置。
【請求項９】
前記消耗品設置部は、検体を収容するためのキュベットを貯留するためのキュベット貯留部を含み、
前記測定部は、前記キュベットに収容された検体から光学的情報を検出するための光学検出部を含み、
前記第３領域に表示される消耗品情報は、前記キュベット貯留部におけるキュベットの補充が必要か否かを示す、
請求項７又は８に記載の検体分析装置。
【請求項１０】
前記測定機構は、前記試薬設置部に設置された試薬を吸引及び吐出するピペットを含み、
前記第２領域に表示される保守作業情報は、前記ピペットの洗浄を含む、
請求項１乃至９の何れか１項に記載の検体分析装置。
【請求項１１】
前記測定機構は、検体又は試薬を分注する分注部を含み、
前記第２領域に表示される保守作業情報は、前記分注部における圧力調整を含む、
請求項１乃至１０の何れか１項に記載の検体分析装置。
【請求項１２】
前記保守状況確認画面は、他のユーザに閲覧させるためのメッセージを表示させる掲示板領域を含む、
請求項１乃至１１の何れか１項に記載の検体分析装置。
【請求項１３】
前記保守状況確認画面は、ユーザが期間を指定するための期間指定部をさらに含み、
前記制御部は、前記期間指定部において期間が指定された場合に、前記指定された期間が実施日である保守作業を示す前記保守作業情報を前記第２領域に表示させるように構成されている、
請求項１乃至１２の何れか１項に記載の検体分析装置。
【請求項１４】
前記保守状況確認画面は、ユーザによる試薬の補充又は交換を支援するための試薬補充交換画面を表示させるための第１指定部と、ユーザによる保守作業の実施を支援するための保守作業画面を表示させるための第２指定部とをさらに含み、
前記制御部は、前記第１指定部が指定された場合に前記試薬補充交換画面を前記表示部に表示させ、前記第２指定部が指定された場合に前記保守作業画面を前記表示部に表示させるように構成されている、
請求項１乃至１３の何れか１項に記載の検体分析装置。
【請求項１５】
前記第２領域は、前記当日に前記測定部において実施する保守作業に対応付けて、実施が完了したか否かを示す実施状況情報を表示する、
請求項１乃至１４の何れか１項に記載の検体分析装置。
【請求項１６】
複数の測定項目に対応する複数の試薬が設置される試薬設置部を具備し、前記試薬設置部に設置された試薬を用いて検体を測定する測定部と通信可能に接続されたコンピュータを、
前記複数の測定項目のそれぞれについて、前記試薬設置部に設置された試薬の残量と当日における予測使用量とを含む試薬情報を取得する取得手段、
予め実施日が定められた保守作業を示し、登録された保守作業情報から、前記当日が実施日である保守作業を示す保守作業情報を抽出する抽出手段、並びに
前記取得手段によって取得された前記試薬情報を表示するための第１領域、及び、前記抽出手段によって抽出された前記保守作業情報を表示するための第２領域を同時に表示した保守状況確認画面を、初期画面として前記コンピュータに設けられた表示部に表示させる手段、
として機能させるためのコンピュータプログラム。
【発明の詳細な説明】
【技術分野】
【０００１】
本発明は、試薬を使用して検体を分析する検体分析装置、及びコンピュータプログラムに関する。
【背景技術】
【０００２】
従来、試薬を用いて検体の分析を行う検体分析装置が知られている。かかる検体分析装置においては、試薬等の消耗品の交換、分注ユニットの圧力調整、試薬を設置する試薬設置部の結露の除去等の保守作業が必要である。
【０００３】
特許文献１には、保守作業に関する情報を表示可能な検体前処理システムが開示されている。特許文献１に開示されている検体前処理システムでは、検体投入部及び搬送ライン等の各ユニット、検体前処理システム全体、並びに分注チップ、ろ紙等の消耗品の項目毎に稼働状況及びアラーム発生状況を表示するための保守点検・管理画面を表示することが可能である（図２参照）。この保守点検・管理画面では、項目毎に、稼働中であるか否かが示され、また「ＮＯ（アラームなし）」、「注意」、「警告」の三段階でアラームの状態が示される。かかる保守点検・管理画面には、項目に対応したボタンが設けられており、ユーザが１つのボタンを選択することで、そのボタンに対応する保守作業に関する詳細な情報が表示されるようになっている。例えば、「開栓処理部」と表示されたボタンが選択されると、開栓処理部の詳細な状況を示す画面が表示される（図３参照）。この画面では、開栓処理部の保守項目毎に、アラームの状態が「ＯＫ（保守作業が不要）」か「警告（保守作業が必要）」かで表示される。また、保守点検・管理画面において「消耗品」と表示されたボタンが選択されると、消耗品の在庫状況を管理するための画面が表示される（図４参照）。この画面では、消耗品の種類毎に、アラームの状態が「ＯＫ（交換又は補充が不要）」か「警告（交換又は補充が必要）」かで表示される。
【先行技術文献】
【特許文献】
【０００４】
【特許文献１】特開２０１０−１５６６４９号公報
【発明の概要】
【発明が解決しようとする課題】
【０００５】
一般的に、臨床検査技師又は医師等のユーザは、例えば１日のうちの検体分析業務の開始前に、検体分析装置を正常に動作させるための保守作業及び試薬の交換又は補充を実施する。しかしながら、上述した特許文献１に開示されている検体前処理システムにあっては、保守点検・管理画面では各ユニット、検体前処理システム全体、並びに消耗品等の項目毎に、稼働中であるか否か、及びアラームの状態がどうかを確認することしかできず、実際の保守作業を行うためには、アラームの状態が「注意」又は「警告」として表示されている項目の詳細な情報を示す画面を呼び出し、どのような保守作業が必要かを確認する必要がある。保守に関する詳細な情報を示す画面は、ユニット、システム全体、消耗品等の項目毎に設けられているため、検体分析業務の開始前のような複数種類の保守作業及び消耗品の交換又は補充作業をまとめて実施する場合には、ユーザは各項目の詳細な情報を示す画面をそれぞれ表示させて、どのような保守作業が必要であるか、どの消耗品の交換又は補充が必要であるかを１つ１つ確認する必要があった。
【０００６】
また、上述した特許文献１に開示されている検体前処理システムにおいては、検体分析装置に設置されている試薬の設置状況が表示されていないので、例えば検体分析業務の開始前に、ユーザは試薬の交換又は補充の要否を判断することが困難であった。
【０００７】
本発明は、かかる課題に鑑みてなされたものであり、どのような保守作業を実施する必要があるか、またどの試薬を交換又は補充する必要があるかを従来に比して容易に確認することが可能な検体分析装置及びコンピュータプログラムを提供することを目的とする。
【課題を解決するための手段】
【０００８】
上述した課題を解決するために、本発明の一の態様の検体分析装置は、試薬を用いて検体を分析する検体分析装置であって、複数の測定項目に対応する複数の試薬が設置される試薬設置部を具備し、前記試薬設置部に設置された試薬を用いて検体を測定する測定部と、表示部と、前記複数の測定項目のそれぞれについて、前記試薬設置部に設置された試薬の残量と当日における予測使用量とを含む試薬情報を取得する取得手段と、予め実施日が定められた保守作業を示し、登録された保守作業情報から、前記当日が実施日である保守作業を示す保守作業情報を抽出する抽出手段と、前記取得手段によって取得された前記試薬情報を表示するための第１領域、及び、前記抽出手段によって抽出された前記保守作業情報を表示するための第２領域を同時に表示する保守状況確認画面を、初期画面として前記表示部に表示させる制御部と、を備える。
【００１０】
上記態様において、前記制御部は、ユーザがログオンを行うためのログオン画面を前記表示部に表示させ、受け付けたユーザ情報に基づいて、ユーザのログオンの可否を判断するログオン処理を実行し、前記ログオン処理によりユーザのログオンが許可された後に、前記保守状況確認画面を前記表示部に表示させるように構成されていてもよい。
【００１１】
上記態様において、前記制御部は、前記保守状況確認画面を前記初期画面として設定可能に構成されていてもよい。
【００１２】
上記態様において、前記制御部は、前記検体分析装置に互いに異なる複数の機能をそれぞれ実行させるための選択可能な複数の選択部を有するメニュー画面を前記初期画面として設定可能に構成されていてもよい。
【００１５】
上記態様において、前記第１領域に表示される前記試薬情報は、前記当日に試薬が使用された場合に予測される試薬の不足量をさらに含んでいてもよい。
【００１６】
上記態様において、前記不足量は、前記当日に補充又は交換が必要となる試薬を示していてもよい。
【００１７】
上記態様において、前記測定部は、試薬以外の消耗品が設置される消耗品設置部をさらに具備し、前記保守状況確認画面は、前記消耗品設置部における消耗品の補充が必要か否かまたは／および廃棄容器の収容量が所定量以上であるか否かを示す消耗品情報を表示するための第３領域を含んでいてもよい。
【００１８】
上記態様において、前記測定部は、液体を吸引するための吸引管を含み、前記消耗品設置部は、前記吸引管が液体を吸引する際に前記吸引管に装着されるピペットチップを貯留するためのチップ貯留部を含み、前記第３領域に表示される消耗品情報は、前記チップ貯留部におけるピペットチップの補充が必要か否かを示していてもよい。
【００１９】
上記態様において、前記消耗品設置部は、検体を収容するためのキュベットを貯留するためのキュベット貯留部を含み、前記測定部は、前記キュベットに収容された検体から光学的情報を検出するための光学検出部を含み、前記第３領域に表示される消耗品情報は、前記キュベット貯留部におけるキュベットの補充が必要か否かを示していてもよい。
上記態様において、前記測定機構は、前記試薬設置部に設置された試薬を吸引及び吐出するピペットを含み、前記第２領域に表示される保守作業情報は、前記ピペットの洗浄を含んでいてもよい。
上記態様において、前記測定機構は、検体又は試薬を分注する分注部を含み、前記第２領域に表示される保守作業情報は、前記分注部における圧力調整を含んでいてもよい。
【００２０】
上記態様において、前記保守状況確認画面は、他のユーザに閲覧させるためのメッセージを表示させる掲示板領域を含んでいてもよい。
【００２３】
上記態様において、前記保守状況確認画面は、ユーザが期間を指定するための期間指定部をさらに含み、前記制御部は、前記期間指定部において期間が指定された場合に、前記指定された期間が実施日である保守作業を示す前記保守作業情報を前記第２領域に表示させるように構成されていてもよい。
【００２４】
上記態様において、前記保守状況確認画面は、ユーザによる試薬の補充又は交換を支援するための試薬補充交換画面を表示させるための第１指定部と、ユーザによる保守作業の実施を支援するための保守作業画面を表示させるための第２指定部とをさらに含み、前記制御部は、前記第１指定部が指定された場合に前記試薬補充交換画面を前記表示部に表示させ、前記第２指定部が指定された場合に前記保守作業画面を前記表示部に表示させるように構成されていてもよい。
上記態様において、前記第２領域は、前記当日に前記測定部において実施する保守作業に対応付けて、実施が完了したか否かを示す実施状況情報を表示してもよい。
【００２５】
本発明の一の態様のコンピュータプログラムは、複数の測定項目に対応する複数の試薬が設置される試薬設置部を具備し、前記試薬設置部に設置された試薬を用いて検体を測定する測定部と通信可能に接続されたコンピュータを、前記複数の測定項目のそれぞれについて、前記試薬設置部に設置された試薬の残量と当日における予測使用量とを含む試薬情報を取得する取得手段、予め実施日が定められた保守作業を示し、登録された保守作業情報から、前記当日が実施日である保守作業を示す保守作業情報を抽出する抽出手段、並びに前記取得手段によって取得された前記試薬情報を表示するための第１領域、及び、前記抽出手段によって抽出された前記保守作業情報を表示するための第２領域を同時に表示した保守状況確認画面を、初期画面として前記コンピュータに設けられた表示部に表示させる手段、として機能させる。
【発明の効果】
【００２６】
本発明によれば、どのような保守作業を実施する必要があるか、またどの試薬を交換又は補充する必要があるかを従来に比して容易に確認することが可能となる。
【図面の簡単な説明】
【００２７】
【図１】実施の形態に係る検体分析装置の構成を示す斜視図。
【図２】実施の形態に係る検体分析装置が備える測定ユニットの概略構成を示す平面図。
【図３】キュベットの構成を示す斜視図。
【図４】ピペットチップの構成を示す斜視図。
【図５】検体分注アームへピペットチップを装着するときの様子を示す正面図。
【図６】実施の形態に係る検体分析装置が備える測定ユニットの回路構成を示すブロック図。
【図７】実施の形態に係る検体分析装置が備える情報処理ユニットの回路構成を示すブロック図。
【図８】情報処理ユニットのハードディスクに設けられたデータベースを説明するための模式図。
【図９】試薬使用履歴データベースの構成を示す模式図。
【図１０】保守予定実績データベースの構成を示す模式図。
【図１１Ａ】実施の形態に係る検体分析装置の分析準備動作の手順を示すフローチャート（前半）。
【図１１Ｂ】実施の形態に係る検体分析装置の分析準備動作の手順を示すフローチャート（後半）。
【図１２】メニュー画面の構成を示す図。
【図１３】試薬情報取得処理の手順を示すフローチャート。
【図１４】保守情報取得処理の手順を示すフローチャート。
【図１５】保守状況確認画面の構成を示す図。
【図１６】実施の形態に係る検体分析装置の表示画面切替処理の手順を示すフローチャート。
【図１７】ユーザメンテナンス画面の構成を示す図。
【図１８】セットアップ画面の構成を示す図。
【発明を実施するための形態】
【００２８】
以下、本発明の好ましい実施の形態を、図面を参照しながら説明する。
【００２９】
［検体分析装置の構成］
本実施の形態に係る検体分析装置は、血液などの患者から採取した検体を用いてＢ型肝炎、Ｃ型肝炎、腫瘍マーカ及び甲状腺ホルモンなど種々の項目の検査を行う免疫分析装置である。本実施の形態に係る検体分析装置では、測定対象である血液などの検体に含まれる抗原に結合した捕捉抗体（Ｒ１試薬）に磁性粒子（Ｒ２試薬）を結合させた後に、結合（Bound）した抗原、捕捉抗体及び磁性粒子を１次ＢＦ（Bound Free）分離部１１（図１及び図２参照）の磁石に引き寄せることにより、未反応（Free）の捕捉抗体を含むＲ１試薬を除去する。そして、磁性粒子が結合した抗原と標識抗体（Ｒ３試薬）とを結合させた後に、結合（Bound）した磁性粒子、抗原及び標識抗体を２次ＢＦ分離部１２の磁石に引き寄せることにより、未反応（Free）の標識抗体を含むＲ３試薬を除去する。さらに、分散液（Ｒ４試薬）、及び、標識抗体との反応過程で発光する発光基質（Ｒ５試薬）を添加した後、標識抗体と発光基質との反応によって生じる発光量を測定する。このような過程を経て、標識抗体に結合する検体に含まれる抗原を定量的に測定している。
【００３０】
以下、本実施の形態に係る検体分析装置について、図面を参照して説明する。
【００３１】
図１は、検体分析装置１の全体構成を示す斜視図である。
【００３２】
本実施の形態に係る検体分析装置１は、測定ユニット２と、測定ユニット２に隣接するように配置された検体搬送ユニット（サンプラ）３と、測定ユニット２に電気的に接続された情報処理ユニット４とを備えている。
【００３３】
検体搬送ユニット３は、検体を収容した複数の試験管が載置されたラックを搬送可能に構成されている。情報処理ユニット４は、本体４００（図５参照）と、入力部４１０と、表示部４２０とを有している。
【００３４】
図２は、測定ユニット２の構成を示す平面図である。
【００３５】
測定ユニット２は、検体分注アーム５と、Ｒ１試薬分注アーム６と、Ｒ２試薬分注アーム７と、Ｒ３試薬分注アーム８と、反応部９と、キュベット供給部１０と、１次ＢＦ分離部１１と、２次ＢＦ分離部１２と、ピペットチップ供給部１３と、検出部１４と、Ｒ４／Ｒ５試薬供給部１５と、試薬設置部１６とを有している。
【００３６】
図１に示すように、キュベット供給部１０は、上部が開口した容器状をなしており、複数のキュベットを貯留可能である。図３は、キュベットの構成を示す斜視図である。キュベット９０は、上部が開口し、下部が閉塞された円筒状の容器である。かかるキュベット９０は、透光性を有する合成樹脂材料により構成されている。キュベット供給部１０には、光学式の透過型センサである残量センサ１０ａが設けられており、この残量センサ１０ａにより、貯留しているキュベット９０が所定量以上であるか否かを判別可能とされている。また、キュベット供給部１０は、検体分注アーム５による検体吐出位置１ｂにキュベット９０を１つずつ供給可能とされている。
【００３７】
Ｒ１試薬分注アーム６には、Ｒ１試薬の吸引及び吐出を行うためのピペット６ａが取り付けられている。Ｒ１試薬分注アーム６は、ピペット６ａを用いて、試薬設置部１６に設置されたＲ１試薬を吸引し、吸引したＲ１試薬を検体吐出位置１ｂに載置されたキュベットに分注（吐出）する。
【００３８】
ピペットチップ供給部１３は、容器状をなしており、複数のピペットチップを貯留可能である。図４は、ピペットチップの構成を示す斜視図である。ピペットチップ８０は、合成樹脂製であり、先端に向かうに従って細くなる円筒状をなしている。かかるピペットチップ８０は、検体分注アーム５の分注ノズルの先端に装着可能である。図５は、検体分注アーム５へピペットチップを装着するときの様子を示す正面図である。検体分注アーム５は、ノズル５ａと、アーム部５ｂと軸とを有している。モータを有する駆動機構により、軸の回動及び上下移動が可能である。これにより、軸を中心としてアーム部５ｂを回動させることが可能であり、また、ノズル５ａを上下方向に移動させることが可能である。ピペットチップ供給部１３は、投入された複数のピペットチップを１つずつ検体分注アーム５によるチップ装着位置まで搬送する。この後、検体分注アーム５のノズル５ａがチップ装着位置のピペットチップ８０へ下降し、ノズル５ａの先端にピペットチップ８０がノズル５ａに装着される。また、ピペットチップ供給部１３には、光学式の透過型センサである残量センサ１３ａが設けられており、この残量センサ１３ａにより、貯留しているピペットチップ８０が所定量以上であるか否かを判別可能とされている。
【００３９】
検体分注アーム５は、チップ装着位置においてピペットチップを装着した後、検体搬送ユニット３により検体吸引位置１ａに搬送された試験管内の検体を吸引し、Ｒ１試薬分注アーム６によりＲ１試薬が分注された検体吐出位置１ｂのキュベット９０に検体を分注（吐出）する。かかるキュベット９０は、Ｒ１試薬分注アーム６のキャッチャにより、反応部９に移送される。
【００４０】
また、測定ユニット２には、検体分注を終了した後のピペットチップ８０を検体分注アーム５のノズル５ａから取り外し、当該ピペットチップ８０を廃棄するための脱離部９０ｂが設けられている。また、測定ユニット２の脱離部９０ｂの近傍には、ノズル５ａの先端に付着した検体を拭き取るためのろ紙９０ｃが取り付けられている。ピペットチップ８０がノズル５ａから取り外された後に、前記ノズル５ａの先端がろ紙９０ｃに押し当てられ、これによってノズル５ａの先端に付着した検体が拭き取られる。また、ろ紙９０ｃには使用回数の上限が設定されており、情報処理ユニット４がろ紙９０ｃの使用回数をカウントし、使用回数が所定回数に達すると、画面表示によりろ紙９０ｃの交換が必要であることをユーザに通知するようになっている。
【００４１】
また、検体分注を行った後、検体分注アーム５のノズル５ａは洗浄される。このノズル５ａの洗浄には、専用の洗浄液であるプローブウォッシャーが使用される。プローブウォッシャーは、測定ユニット２に設けられたプローブウォッシャー容器９５０から供給される。
【００４２】
測定ユニット２は、使用済みのピペットチップ８０及びキュベット９０を廃棄するための廃棄容器９１０を有している。脱離部９０ｂにおいてノズル５ａから取り外されたピペットチップ８０は、廃棄容器９１０に収容される。廃棄容器９１０には、光学式の透過型センサである収容量センサ９１０ａ（図６参照）が設けられており、この収容量センサ９１０ａにより、廃棄容器９１０に収容されている廃棄物（ピペットチップ８０及びキュベット９０）が所定量以上であるか否かを判別可能とされている。情報処理ユニット４は、廃棄容器９１０の収容量を監視し、収容量が所定量以上となると、画面表示により廃棄容器９１０に収容された廃棄物の処理が必要であることをユーザに通知する。
【００４３】
Ｒ２試薬分注アーム７には、Ｒ２試薬の吸引及び吐出を行うためのピペット７ａが取り付けられている。Ｒ２試薬分注アーム７は、ピペット７ａを用いて、試薬設置部１６に設置されたＲ２試薬を吸引し、吸引したＲ２試薬を、Ｒ１試薬及び検体を収容するキュベット９０に分注（吐出）する。
【００４４】
反応部９は、複数のキュベット設置部９ａを有し、キュベット設置部９ａにセットされたキュベット９０を加温する機能を有している。これにより、キュベット内の検体と各種試薬との反応が促進される。
【００４５】
検体、Ｒ１試薬及びＲ２試薬を収容するキュベット９０が、キャッチャにより反応部９から１次ＢＦ分離部１１に移送されると、１次ＢＦ分離部１１は、キュベット内の試料から未反応のＲ１試薬（不要成分）と磁性粒子とを分離（Ｂ／Ｆ分離）する。Ｂ／Ｆ分離においては、Ｂ／Ｆ分離専用の洗浄液（以下、「Ｂ／Ｆ分離洗浄液」という。）が使用される。Ｂ／Ｆ分離洗浄液は、測定ユニット２に取り付けられたＢ／Ｆ分離洗浄液容器９４０から供給される。
【００４６】
Ｒ３試薬分注アーム８には、Ｒ３試薬の吸引及び吐出を行うためのピペット８ａが取り付けられている。Ｒ３試薬分注アーム８は、ピペット８ａを用いて、試薬設置部１６に設置されたＲ３試薬を吸引する。また、Ｒ３試薬分注アーム８は、ピペット８ａを用いて、吸引したＲ３試薬を１次ＢＦ分離部１１から反応部９に移送されたキュベット９０に分注（吐出）する。
【００４７】
１次ＢＦ分離部１１によるＢ／Ｆ分離後の試料及びＲ３試薬を収容するキュベット９０が、キャッチャにより反応部９から２次ＢＦ分離部１２に移送されると、２次ＢＦ分離部１２は、キュベット内の試料から未反応のＲ３試薬（不要成分）と磁性粒子とを分離（Ｂ／Ｆ分離）する。この２次ＢＦ分離においても、１次ＢＦ分離と同様に、Ｂ／Ｆ分離洗浄液が使用される。
【００４８】
Ｒ４／Ｒ５試薬供給部１５は、チューブにより、２次ＢＦ分離部１２によるＢ／Ｆ分離後の試料を収容するキュベット９０に、Ｒ４試薬及びＲ５試薬を順に分注する。
【００４９】
検出部１４は、所定の処理が行なわれた検体の抗原に結合する標識抗体と発光基質との反応過程で生じる光を、光電子増倍管（Photo Multiplier Tube）で検出する。このようにして検出された光学的情報により、その検体に含まれる抗原の量が測定される。
【００５０】
測定ユニット２の検出部１４の近傍には、使用済みのキュベット９０を廃棄するための廃棄孔９０ｄが設けられている。検出部１４によって試料から光学的情報が検出された後、当該試料を収容するキュベット９０は、キャッチャにより検出部１４から取り出され、廃棄孔９０ｄに廃棄される。廃棄されたキュベット９０は、前述した廃棄容器９１０に収容される。
【００５１】
試薬設置部１６は、Ｒ１試薬が収容されるＲ１試薬容器を保持可能な複数の保持部と、Ｒ３試薬が収容されるＲ３試薬容器を保持可能な複数の保持部とが形成された内側テーブル、及び、Ｒ２試薬が収容されるＲ２試薬容器を保持可能な複数の保持部が形成された外側テーブルとを備えている。
【００５２】
試薬設置部１６に設置される試薬容器には、ＲＦＩＤタグが取り付けられている。ＲＦＩＤタグには、試薬を管理するための試薬管理情報が格納される。この試薬管理情報には、測定項目、ロット番号、シリアル番号、充填量、残量等の情報が含まれる。
【００５３】
充填量は、この試薬により行うことのできるテスト数（測定回数）を示す。残量は、この試薬により行うことのできる残りテスト数（残り測定可能）回数を示す。使用期限は、この試薬が使用可能な期限を示す。
【００５４】
また、上述した試薬設置部１６には、ＲＦＩＤタグに記憶されている試薬管理情報を読み書きするためのアンテナ１６２ｂ、１６３ｂ（図６参照）が設置されている。
【００５５】
さらに、測定ユニット２には、廃液を収容するための廃液容器９２０、測定ユニット２内の液体流路（検体分注アーム５と、Ｒ１試薬分注アーム６、Ｒ２試薬分注アーム７、及びＲ３試薬分注アーム８へ続く配管）を洗浄するための洗浄液であるラインウォッシャーを収容するラインウォッシャー容器９３０、Ｂ／Ｆ分離に使用されるＢ／Ｆ分離洗浄液を収容するＢ／Ｆ分離洗浄液容器９４０、及び、検体分注アーム５のノズル５ａを洗浄するための洗浄液であるプローブウォッシャーを収容するプローブウォッシャー容器９５０が設けられている。
【００５６】
廃液容器９２０は２つの容器を含んでおり、これらの２つの容器が交互に使用されるようになっている。２つの容器の何れにも液面センサ９２０ａ（図６参照）が設けられている。液面センサ９２０ａによって検出された液面の位置の情報は情報処理ユニット４に与えられ、情報処理ユニット４が廃液容器９２０の液面位置を監視する。情報処理ユニット４は、液面位置が所定位置よりも高くなると、画面表示により容器に収容された廃液の処理（廃液処理施設等へ移送し、容器を空にすること）が必要であることをユーザに通知する。これとともに、測定ユニット２は、一方の容器が満杯になった場合に、十分に容量が確保された他方の容器に廃液の移送先を自動的に切り替えるようになっている。他方の容器を使用している間に、ユーザは満杯となった一方の容器から廃液を取り除くことが可能となる。
【００５７】
ラインウォッシャー容器９３０は２つの容器を含んでおり、これらの２つの容器が交互に使用されるようになっている。２つの容器の何れにも液面センサ９３０ａ（図６参照）が設けられている。液面センサ９３０ａによって検出された液面の位置の情報は情報処理ユニット４に与えられ、情報処理ユニット４がラインウォッシャー容器９３０の液面位置を監視する。情報処理ユニット４は、液面位置が所定位置よりも低くなる（つまり、容器が空になる）と、画面表示によりラインウォッシャー容器の交換が必要であることをユーザに通知する。これとともに、測定ユニット２は、一方の容器が空になった場合、十分にラインウォッシャーが収容された他方の容器からラインウォッシャーを供給するように自動的にラインウォッシャーの供給元の容器を切り替えるようになっている。他方の容器を使用している間に、ユーザは空となった一方の容器を新たな容器に交換することが可能となる。
【００５８】
Ｂ／Ｆ分離洗浄液容器９４０は２つの容器を含んでおり、これらの２つの容器が交互に使用されるようになっている。２つの容器の何れにも液面センサ９４０ａ（図６参照）が設けられている。ラインウォッシャー容器９３０と同様に、Ｂ／Ｆ分離洗浄液容器９４０の液面位置を情報処理ユニット４が監視し、液面位置が所定位置よりも低くなると、画面表示によりＢ／Ｆ分離洗浄液容器の交換が必要であることをユーザに通知する。これとともに、測定ユニット２は、一方の容器が空になった場合、Ｂ／Ｆ分離洗浄液の供給元の容器を切り替えるようになっている。
【００５９】
プローブウォッシャー容器９５０は２つの容器を含んでおり、これらの２つの容器が交互に使用されるようになっている。２つの容器の何れにも液面センサ９５０ａ（図６参照）が設けられている。ラインウォッシャー容器９３０と同様に、プローブウォッシャー容器９５０の液面位置を情報処理ユニット４が監視し、液面位置が所定位置よりも低くなると、画面表示によりプローブウォッシャー容器の交換が必要であることをユーザに通知する。これとともに、測定ユニット２は、一方の容器が空になった場合、プローブウォッシャーの供給元の容器を切り替えるようになっている。
【００６０】
図６は、測定ユニット２の回路構成を示すブロック図である。測定ユニット２は、制御部２００と、残量センサ１０ａ、１３ａ、アンテナ１６２ｂ、１６３ｂ、収容量センサ９１０ａ、液面センサ９２０ａ、９３０ａ、９４０ａ、９５０ａ、及び機構部２１３を含んでいる。制御部２００は、ＣＰＵ２０１と、ＲＯＭ２０２と、ＲＡＭ２０３と、通信インターフェース２０４と、Ｉ／Ｏインターフェース２０５とを含んでいる。
【００６１】
ＣＰＵ２０１は、ＲＯＭ２０２に記憶されているコンピュータプログラム及びＲＡＭ２０３にロードされたコンピュータプログラムを実行する。ＲＡＭ２０３は、ＲＯＭ２０２に記録されているコンピュータプログラムの読み出しに用いられると共に、これらのコンピュータプログラムを実行するときに、ＣＰＵ２０１の作業領域としても利用される。
【００６２】
通信インターフェース２０４は、検体搬送ユニット３と情報処理ユニット４に接続されている。ＣＰＵ２０１は、通信インターフェース２０４を介して、検体の光学的情報（標識抗体と発光基質との反応によって生じる発光量のデータ）を情報処理ユニット４に送信し、情報処理ユニット４からの信号を受信する。また、ＣＰＵ２０１は、通信インターフェース２０４を介して、検体搬送ユニット３に対して駆動指示のための信号を送信する。
【００６３】
また、ＣＰＵ２０１は、Ｉ／Ｏインターフェース２０５を介して、残量センサ１０ａ、１３ａ、収容量センサ９１０ａ、液面センサ９２０ａ、９３０ａ、９４０ａ、９５０ａ、アンテナ１６２ｂ、１６３ｂ、及び機構部２１３に接続されている。
【００６４】
残量センサ１０ａ、１３ａ、収容量センサ９１０ａ、及び液面センサ９２０ａ、９３０ａ、９４０ａ、９５０ａは、それぞれの検出信号を出力し、このような検出信号がＩ／Ｏインターフェース２０５を介してＣＰＵ２０１に与えられる。アンテナ１６２ｂ、１６３ｂは、ＣＰＵ２０１の制御により、それぞれ、ＲＦＩＤタグの試薬管理情報を読み取る。また、アンテナ１６２ｂ、１６３ｂにより読み取られた試薬管理情報は、Ｉ／Ｏインターフェース２０５を介してＣＰＵ２０１に出力され、ＲＡＭ２０３に記憶される。機構部２１３は、測定ユニット２のその他の機構を含んでおり、ＣＰＵ２０１の制御により駆動される。
【００６５】
図７は、情報処理ユニット４の回路構成を示すブロック図である。情報処理ユニット４は、パーソナルコンピュータからなり、本体４００と、入力部４１０と、表示部４２０とを有している。本体４００は、ＣＰＵ４０１と、ＲＯＭ４０２と、ＲＡＭ４０３と、ハードディスク４０４と、読出装置４０５と、入出力インターフェース４０６と、画像出力インターフェース４０７と、通信インターフェース４０８とを有する。
【００６６】
ＣＰＵ４０１は、ＲＯＭ４０２に記憶されているコンピュータプログラム及びＲＡＭ４０３にロードされたコンピュータプログラムを実行する。ＲＡＭ４０３は、ＲＯＭ４０２及びハードディスク４０４に記録されているコンピュータプログラムの読み出しに用いられる。また、ＲＡＭ４０３は、これらのコンピュータプログラムを実行するときに、ＣＰＵ４０１の作業領域としても利用される。
【００６７】
ハードディスク４０４には、オペレーティングシステム及びアプリケーションプログラムなど、ＣＰＵ４０１に実行させるための種々のコンピュータプログラム及びコンピュータプログラムの実行に用いるデータがインストールされている。すなわち、コンピュータを本実施の形態に係る情報処理ユニット４として機能させるためのコンピュータプログラム４０４ａ（図８参照）等がインストールされている。
【００６８】
図８は、ハードディスク４０４に設けられたデータベースを説明するための模式図である。ハードディスク４０４には、試薬設置部１６に設置されている試薬容器の固有情報と試薬管理情報を格納する試薬管理データベースＤＢ１００が設けられている。かかる試薬管理データベースＤＢ１００には、その時点において検体分析装置１に搭載されている試薬の測定項目、ロット番号、シリアル番号、充填量、残量等の情報が格納される。
【００６９】
また、ハードディスク４０４には、試薬使用履歴データベースＤＢ２００が設けられている。この試薬使用履歴データベースＤＢ２００には、測定項目毎に試薬の使用履歴が記録される。図９は、試薬使用履歴データベースＤＢ２００の構造を示す模式図である。試薬使用履歴データベースＤＢ２００は、月曜日から日曜日までの各曜日に項目分けされている。試薬使用履歴データベースＤＢ２００の各セルは１日に対応しており、それぞれのセルには対応する日付における試薬の使用量が格納される。なお「試薬の使用量」として、その試薬を用いて行われたテスト数（測定回数）が格納される。図において、最も下方のセルが最近の日付に対応しており、上に向かうにしたがって過去に遡るようになっている。このような試薬使用履歴が、測定項目別に設けられている。
【００７０】
また、ハードディスク４０４には、保守作業の予定を格納するための保守作業予定データベースＤＢ３００が設けられている。保守作業予定データベースＤＢ３００には、定期的に実行する予定の保守作業の項目（以下、「保守項目」という。）と、実施するサイクル（例えば、「毎日」、「月曜日」、「月初」等）とが対応付けて記憶される。
【００７１】
また、ハードディスク４０４には、カレンダーデータベースＤＢ４００が設けられている。このカレンダーデータベースＤＢ４００には、日付と、曜日とが対応付けて記憶されている。また、検体分析装置１が導入されている施設の定休日のデータもカレンダーデータベースＤＢ４００に記憶される。
【００７２】
また、ハードディスク４０４には、日付毎に保守作業の予定及び実績を記憶するための保守予定実績データベースＤＢ５００が設けられている。図１０は、保守予定実績データベースＤＢ５００の構成を示す模式図である。保守予定実績データベースＤＢ５００は、これからの保守作業の予定及びこれまでの保守作業の実績を日付毎に記憶する。つまり、保守予定実績データベースＤＢ５００には、予定日の日付を格納するためのフィールドＦ５０１と、保守項目を格納するためのフィールドＦ５０２と、保守作業を実施したユーザ（以下、「実施者」という。）のユーザ名を格納するためのフィールドＦ５０３と、実施日時を格納するためのフィールドＦ５０４とを有している。将来の保守作業については、未実施であることから、実施者のユーザ名及び実施日時は記憶されない。一方、過去の保守作業については、保守作業が実施された場合には、実施者のユーザ名及び実施日時が記憶される。また、実施されていない過去の保守作業の実績では、実施者のユーザ名及び実施日時が記憶されない。
【００７３】
また、図８に示すように、ハードディスク４０４には、検体分析装置１を使用するユーザの情報を格納するためのユーザデータベースＤＢ６００が設けられている。ユーザデータベースＤＢ６００には、ユーザ名、パスワード、ユーザグループ（ユーザの権限を規定するグループ。「管理者」、「一般ユーザ」等。）、及びユーザ毎の設定値等が対応付けて記憶される。この設定値には、ログオン直後にユーザが操作可能な画面として最初に表示される初期画面の設定値（メニュー画面又は保守状況確認画面）が含まれる。
【００７４】
また、ハードディスク４０４には、ユーザ間の情報交換に使用される掲示板データベースＤＢ７００が設けられている。この掲示板データベースＤＢ７００には、掲示板にメッセージを投稿したユーザ（以下、「投稿者」という。）のユーザ名、及び投稿されたメッセージの内容が対応付けて記憶される。
【００７５】
読出装置４０５は、ＣＤドライブまたはＤＶＤドライブ等によって構成されており、記録媒体に記録されたコンピュータプログラム及びデータを読み出すことができる。入出力インターフェース４０６には、マウスやキーボードからなる入力部４１０が接続されており、操作者が入力部４１０を使用することにより、情報処理ユニット４にデータが入力される。画像出力インターフェース４０７は、ディスプレイ等で構成された表示部４２０に接続されており、画像データに応じた映像信号を、表示部４２０に出力する。表示部４２０は、入力された映像信号をもとに、画像を表示する。また、通信インターフェース４０８により、測定ユニット２に対してデータの送受信が可能となる。
【００７６】
［検体分析装置の動作］
次に、本実施の形態に係る検体分析装置１の動作について説明する。本実施の形態に係る検体分析装置１では、日付処理の実行が可能である。日付処理とは、検体分析装置１において、１日が始まる時刻を決定する処理である。情報処理ユニット４は、内部時計を有しており、現在時刻を取得可能である。日付処理では、この内部時計による現実の時刻（情報処理ユニット４のローカル時刻。一般的に日本においては日本標準時刻に設定されている。）における何時何分（例えば、午前２時３０分等）を、１日の始期とするかをユーザが設定することができる。以下において説明する「当日」は、日付処理によってユーザが決定した始期から始まる日付に従って定まる当日である。例えば、午前２時３０分を１日の始期として設定されている場合において、現実の時刻が２０１１年７月２９日の午前３時００分のときには、２０１１年７月２９日が当日とされ、現実の時刻が２０１１年７月２９日の午前１時００分のときには、２０１１年７月２８日が当日とされる。
【００７７】
図１１Ａ及び図１１Ｂは、検体分析装置１の分析準備動作の手順を示すフローチャートである。まず、測定ユニット２の動作について説明する。検体分析装置１の電源が投入されるとき、測定ユニット２の試薬設置部１６には、当日使用されるＲ１／Ｒ３試薬及びＲ２試薬がセットされている。測定ユニット２の電源がユーザにより投入されると、測定ユニット２のＣＰＵ２０１は、測定ユニット２の各機構部の初期化処理を行う（ステップＳ１０１）。この処理により、検体分注アーム、試薬分注アーム等の各機構部が測定動作のための初期位置に移動される。次に、ＣＰＵ２０１は、試薬設置部１６に設置されているＲ１／Ｒ３試薬容器のＲＦＩＤタグと、Ｒ２試薬容器のＲＦＩＤタグとのそれぞれから、アンテナ１６２ｂ，１６３ｂに試薬管理情報を読み出させる（ステップＳ１０２）。また、ＣＰＵ２０１は、取得した試薬管理情報を情報処理ユニット４へ送信し（ステップＳ１０３）、処理を終了する。
【００７８】
次に、情報処理ユニットの動作について説明する。情報処理ユニット４の電源が投入されると、情報処理ユニット４のＣＰＵ４０１は、ハードウェア、ソフトウェアの初期化を行い（ステップＳ２０１）、測定ユニット２から送信された試薬管理情報を受信したか否かを判別する（ステップＳ２０２）。試薬管理情報を受信していない場合には（ステップＳ２０２においてＮＯ）、ＣＰＵ４０１はステップＳ２０２の処理を繰り返し実行し、試薬管理情報が受信されるまで待機する。情報処理ユニット４が試薬管理情報を受信すると（ステップＳ２０２においてＹＥＳ）、ＣＰＵ４０１は、試薬管理データベースＤＢ１００に試薬管理情報を登録する（ステップＳ２０３）。
【００７９】
次に、ＣＰＵ４０１は、ログオン画面を表示部４２０に表示させる（ステップＳ２０４）。ログオン画面には、ユーザ名（ユーザＩＤ）及びパスワードのそれぞれを入力するための入力ボックスが設けられている。ユーザは、これらの入力ボックスにユーザ名及びパスワードを入力し、ログオン処理の実行を指示する。ＣＰＵ４０１は、ログオン処理の実行指示を受け付けたか否かを判別し（ステップＳ２０５）、ログオン処理の実行指示を受け付けていない場合には（ステップＳ２０５においてＮＯ）、ステップＳ２０５の処理を繰り返し、ログオン処理の実行指示を待機する。ＣＰＵ４０１は、ログオン処理の実行指示を受け付けると（ステップＳ２０５においてＹＥＳ）、ログオン処理を実行する（ステップＳ２０６）。ログオン処理では、ログオン画面において入力されたユーザ名及びパスワードと、ユーザデータベースＤＢ６００に登録されているユーザ名及びパスワードとを照合するログオン認証が行われる。ログオン認証に失敗した場合には（ステップＳ２０７においてＮＯ）、ＣＰＵ４０１は、ログオン認証に失敗した旨をユーザに通知するメッセージを含むログオン画面を表示部４２０に表示する（ステップＳ２０４）。
【００８０】
ログオン認証に成功した場合（ステップＳ２０７においてＹＥＳ）、ＣＰＵ４０１は、ログオンしたユーザの設定値をユーザデータベースＤＢ６００から取得し、ログオン直後にユーザが最初に操作可能な画面として表示される初期画面が、メニュー画面に設定されているか、保守状況確認画面に設定されているかを判別する（ステップＳ２０８）。この初期画面の設定値は、保守状況確認画面がデフォルト値とされている。
【００８１】
初期画面がメニュー画面に設定されている場合には（ステップＳ２０８において「メニュー画面」）、ＣＰＵ４０１は、表示部４２０にメニュー画面を表示させ（ステップＳ２０９）、起動処理を終了する。
【００８２】
図１２は、メニュー画面の構成を示す図である。メニュー画面Ｄ１００には、ツールバーが表示されるツールバー領域Ａ１１０、及び他の画面へ移行するための複数のアイコンが表示されるメイン領域Ａ１３０が設けられている。ツールバー領域Ａ１１０及びメイン領域Ａ１３０は、メニュー画面Ｄ１００だけでなく、情報処理ユニット４の他の画面にも共通に設けられている。また、ツールバー領域Ａ１１０はいくつかの領域に分割されており、最も左側の領域には、メニュー画面を表示させるための「メニュー」ボタンＢ１１１、及び保守状況確認画面を表示させるための「保守確認」ボタンＢ１１２が設けられている。また、ツールバー領域Ａ１１０には、セットアップ画面を表示させるための「セットアップ」ボタンＢ１１３、検量線を表示させるための「検量線」ボタンＢ１１４、検体分析装置１による検体測定が正常に行えるか否かを調べるための精度管理画面を表示させるための「精度管理」ボタンＢ１１５、検体の測定オーダの登録に使用される測定オーダ登録画面を表示させるための「オーダ登録」ボタンＢ１１６、検体測定の進捗画面を表示させるための「測定進捗」ボタンＢ１１７、登録されている測定オーダの閲覧に使用されるジョブリスト画面を表示させるための「ジョブリスト」ボタンＢ１１８、検体の測定結果の閲覧に使用されるブラウザ画面を表示させるための「ブラウザ」ボタンＢ１１９、保守作業の実行に使用されるユーザメンテナンス画面を表示させるための「メンテナンス」ボタンＢ１２０、検体分析装置１のシャットダウンを実行するための「シャットダウン」ボタンＢ１２１、検体測定を開始するための「スタート」ボタンＢ１２２、及び検体測定を中断するための「中断」ボタンＢ１２３が設けられている。
【００８３】
なお、ここでいう「アイコン」とは、特定の機能が割り当てられ、当該機能を象徴的に表すようにデザインされた画像をいい、ウィンドウ内において表示されるものを含む。
【００８４】
ツールバー領域Ａ１１０は、画面の最上部に設けられている。このツールバー領域Ａ１１０の下方にメイン領域Ａ１３０が設けられている。メイン領域Ａ１３０は、ツールバー領域Ａ１１０よりも大きい面積の領域であり、その画面の主要なコンテンツが表示される。メニュー画面Ｄ１００のメイン領域Ａ１３０には、３行に亘ってアイコンが並べられている。一行目（最も上側の行）には、検体分析装置１にログオンしているユーザがログオフするための「ログオフ」アイコンＣ１３１、コンピュータプログラム４０４ａのバージョンを確認するための「バージョン情報」アイコンＣ１３２、検体分析装置１の設定に使用される設定画面を表するための「設定」アイコンＣ１３３、及びハードディスク４０４に設けられた患者情報データベースに患者の情報を登録するための「患者情報」アイコンＣ１３４が設けられている。二行目には、検体分析装置１のエラー履歴を表示するための「エラー履歴」アイコンＣ１３５、検体分析装置１において使用された試薬の履歴を表示するための「試薬履歴」アイコンＣ１３６、検体分析装置１において使用された消耗品の履歴を表示するための「消耗品履歴」アイコンＣ１３７、検体分析装置１のユーザによる操作履歴を表示するための「操作履歴」アイコンＣ１３８、及び検体分析装置１の部品交換の履歴を表示するための「部品交換履歴」アイコンＣ１３９が設けられている。また、三行目には、検体分析装置１の保守サービス業者に連絡するための「サービスコール」アイコンＣ１４０、及び取扱説明書を表示するための「取扱説明書」アイコンＣ１４１が設けられている。これらのアイコンＣ１３１〜Ｃ１４１はマウスのクリック操作によって選択可能であり、これらのアイコンＣ１３１〜Ｃ１４１の何れかがマウスのクリック操作により選択されると、対応するコマンドが実行されるようになっている。
【００８５】
検体分析装置１の起動処理についての説明に戻る。初期画面が保守状況確認画面に設定されている場合には（ステップＳ２０８において「保守状況確認画面」）、ＣＰＵ４０１は、試薬情報取得処理を実行する（ステップＳ２１０）。図１３は、試薬情報取得処理の手順を示すフローチャートである。試薬情報取得処理において、まずＣＰＵ４０１は、試薬使用履歴データベースＤＢ２００に記憶されている試薬の使用履歴に基づいて、測定ユニット２の試薬設置部１６に設置されている各試薬について、対象日（起動処理では「当日」）の使用予測処理を実行する（ステップＳ３０１）。この使用予測処理では、ＣＰＵ４０１は、例えば、過去の一定期間内（例えば、対象日の直前３ヶ月）における試薬の使用量の一日当たりの平均値を測定項目毎に算出し、これらの平均値のそれぞれを対象日の各測定項目の試薬の予測使用量とする。次に、ＣＰＵ４０１は、測定項目のうちの１つを、対象測定項目として選択する（ステップＳ３０２）。次にＣＰＵ４０１は、試薬設置部１６に設置されている対象測定項目の試薬の残量と対象測定項目の試薬の対象日の予測使用量とを比較する（ステップＳ３０３）。試薬残量が予測使用量以上の場合には（ステップＳ３０３においてＹＥＳ）、ＣＰＵ４０１は、対象測定項目の試薬の過不足量の表示色を第１色（黒色）に設定し（ステップＳ３０４）、処理をステップＳ３０６へ移す。一方、試薬残量が予測使用量未満の場合には（ステップＳ３０３においてＮＯ）、対象測定項目の試薬の過不足量の表示色を第２色（橙色）に設定し（ステップＳ３０５）、処理をステップＳ３０６へ移す。
【００８６】
次にＣＰＵ４０１は、対象測定項目の試薬の残量と予測使用量との差を算出し、対象測定項目の試薬の過不足量を取得する（ステップＳ３０６）。この過不足量は、試薬残量が予測使用量以上のとき、即ち、検体測定を行っても対象日中に試薬を交換する必要がないと推定されるときには、０又は正の値となり、試薬残量が予測使用量未満のとき、即ち、検体測定を行うと対象日中に試薬を交換する必要があると推定されるときには、負の値となる。
【００８７】
次にＣＰＵ４０１は、全ての測定項目を対象測定項目として選択したか否かを判別し（ステップＳ３０７）、対象測定項目として選択されていない測定項目が存在する場合には（ステップＳ３０７においてＮＯ）、ステップＳ３０２へ処理を移し、未選択の測定項目の１つを対象測定項目として選択する。一方、全ての測定項目を対象測定項目として選択している場合には（ステップＳ３０７においてＹＥＳ）、ＣＰＵ４０１は、起動処理における試薬情報取得処理の呼び出しアドレスへ処理をリターンする。
【００８８】
次に、ＣＰＵ４０１は、保守情報取得処理を実行する（ステップＳ２１１）。図１４は、保守情報取得処理の手順を示すフローチャートである。保守情報取得処理において、まずＣＰＵ４０１は、実施予定又は実績の日付が対象日のレコード、即ち、当日実施予定の保守作業の情報（以下、「保守作業予定情報」という。）を、保守予定実績データベースＤＢ５００から抽出する（ステップＳ４０１）。次にＣＰＵ４０１は、選択可能な保守作業予定情報が存在するか否かを判別する（ステップＳ４０２）。ステップＳ４０２の処理では、後述するステップＳ４０３において既に選択された保守作業予定情報は、選択可能な保守作業予定情報に含まれない。つまり、未選択の保守作業予定情報のみが選択可能とされる。したがって、ステップＳ４０１において抽出された保守作業予定情報が全て選択された後には、選択可能な保守作業予定情報が存在しないことになる。また、ステップＳ４０１において、１つも保守作業予定情報が抽出されなかった場合、即ち、当日実施予定の保守作業がない場合にも、選択可能な保守作業予定情報が存在しないことになる。
【００８９】
ステップＳ４０２において、選択可能な保守作業予定情報が存在する場合には（ステップＳ４０２においてＹＥＳ）、ＣＰＵ４０１は、未選択の保守作業予定情報のうちの１つを選択する（ステップＳ４０３）。次にＣＰＵ４０１は、選択された保守作業予定情報において、実施者のユーザ名が含まれているか否かを判別する（ステップＳ４０４）。ステップＳ４０４において実施者のユーザ名が含まれている場合には（ステップＳ４０４においてＹＥＳ）、その保守作業は実施されていることを意味する。よってこの場合には、ＣＰＵ４０１は、当該選択されている保守作業予定情報に対応付けて、実施済みであることを示す実施情報をＲＡＭ４０３に格納し（ステップＳ４０５）、ステップＳ４０２へ処理を移す。一方、ステップＳ４０４において実施者のユーザ名が含まれていない場合には（ステップＳ４０４においてＮＯ）、ＣＰＵ４０１は、そのままステップＳ４０２へ処理を移す。
【００９０】
ステップＳ４０２において、選択可能な保守作業予定情報が存在しない場合には（ステップＳ４０２においてＮＯ）、ＣＰＵ４０１は、起動処理における保守情報取得処理の呼び出しアドレスへ処理をリターンする。
【００９１】
次に、ＣＰＵ４０１は、掲示板データベースＤＢ７００から掲示板情報（投稿者のユーザ名及びメッセージ）を取得する（ステップＳ２１２）。また、ＣＰＵ４０１は、残量センサ１０ａ、１３ａ、収容量センサ９１０ａ、液面センサ９２０ａ、９３０ａ、９４０ａ、９５０ａのそれぞれから出力信号を取得し、キュベットの残量が所定量以上あるか、ピペットチップの残量が所定量以上あるか、ろ紙の使用回数が所定値未満か、廃棄容器９１０における廃棄物の量が所定量未満か、排液容器９２０における廃液の量が所定量未満か、ラインウォッシャーの残量が所定量以上か、Ｂ／Ｆ分離洗浄液の残量が所定量以上か、プローブウォッシャーの残量が所定量以上か、Ｒ４／Ｒ５試薬の残量が所定量以上か、をそれぞれ判別する（ステップＳ２１５）。さらにＣＰＵ４０１は、ステップＳ２１０〜Ｓ２１２において取得した情報に基づいて、保守状況確認画面を表示部４２０に表示させ（ステップＳ２１３）、起動処理を終了する。これらの起動処理により、測定準備動作が終了し、検体分析装置１は検体の測定を実行することが可能な測定スタンバイ状態となる。
【００９２】
図１５は、保守状況確認画面の構成を示す図である。保守状況確認画面Ｄ２００のツールバー領域Ａ１１０は、メニュー画面Ｄ１００のツールバー領域Ａ１１０と同じアイコン群が表示されている。また、保守状況確認画面Ｄ２００のメイン領域Ａ１３０は、コンテンツ領域Ａ２３１と、当該コンテンツ領域Ａ２３１の右方に設けられたメニュー領域Ａ２３２とを有している。
【００９３】
コンテンツ領域Ａ２３１は、４つの領域Ａ２３３〜Ａ２３６に分割される。さらに具体的には、コンテンツ領域Ａ２３１は、コンテンツ領域Ａ２３１の左上部分に設けられた保守作業表示領域Ａ２３３と、保守作業表示領域Ａ２３３の下方に設けられた掲示板領域Ａ２３４と、保守作業表示領域Ａ２３３及び掲示板領域Ａ２３４の右方に設けられた試薬情報表示領域Ａ２３５と、コンテンツ領域Ａ２３１の下部に設けられた消耗品情報表示領域Ａ２３６とを有している。
【００９４】
また、コンテンツ領域Ａ２３１の右上部分には、対象日を指定するための対象日指定部Ｃ２３７が設けられている。対象日指定部Ｃ２３７は、入力ボックスと２つのボタンによって構成されている。この入力ボックスは、対象日の日付を入力するために使用される。また、指定された対象日は、この入力ボックスに表示される。２つのボタンは、左右に並べられており、左側のボタンには、一頂点が左方に向けられた三角形が表示されている。右側のボタンには、一頂点が右方に向けられた三角形が表示されている。左側のボタンは、入力ボックスに表示されている日付を１日戻すためのボタンであり、右側のボタンは、入力ボックスに表示されている日付を１日進めるためのボタンである。ユーザは、このような入力ボックス及び２つのボタンを使用することにより、対象日を指定することができる。なお、対象日のデフォルト値は、当日とされ、上述した起動処理では、当日を対象日として保守状況確認画面Ｄ２００が表示される。
【００９５】
保守作業表示領域Ａ２３３には、対象日に実施すべき保守作業が表示される。即ち、保守作業表示領域Ａ２３３には、上述したステップＳ２１３の保守情報取得処理において取得された保守作業予定情報が表示される。さらに詳しく保守作業表示領域Ａ２３３について説明する。保守作業表示領域Ａ２３３には、ユーザが対象日に実施すべき保守作業（ＴｏＤｏ）の項目名がリスト表示される。この保守作業情報は、他の設定画面においてユーザにより設定可能である。また、既に実行された作業の横には、チェックマークアイコンＣ２３８が表示される。つまり、チェックマークアイコンＣ２３８は、ステップＳ４０５において実施情報が対応付けてＲＡＭ４０３に記憶された保守作業予定情報の横に表示される。さらに、保守項目名の右方には、その保守作業を実行したユーザ名（検体分析装置１によって自動的に実行された場合には「自動」）が表示され、さらにその右方には、保守作業の実行時刻が表示される。まだ実行されていない保守作業については、ユーザ名及び実行時刻は表示されない。これにより、ユーザが、対象日に行うべき保守作業、それらの保守作業のうちどの作業が既に終わっているか、誰が作業を行ったのか、作業がいつ行われたのかを容易に確認することができる。
【００９６】
保守作業表示領域Ａ２３３の上方には、「保守」の文字列が表示されたボタンＢ２３９が設けられている。このボタンＢ２３９は、マウスのクリック操作によって選択可能であり、選択されることで後述するユーザメンテナンス画面を表示するためのコマンドが発行されるようになっている。
【００９７】
掲示板領域Ａ２３４には、他のユーザからの連絡事項がリスト形式で表示される。即ち、掲示板領域Ａ２３４には、上述したステップＳ２１４において取得された掲示板情報が表示される。この連絡事項は、他の画面（掲示板登録画面）においてユーザにより入力可能であり、入力された連絡事項を含む掲示板情報が掲示板データベースＤＢ７００に登録される。また、連絡事項の右方には、当該連絡事項を入力したユーザのユーザ名、及び入力時刻が表示される。これにより、直接ユーザ同士が会話をしなくても、ユーザ間のコミュニケーションを容易に取ることができる。また、ユーザが掲示板領域Ａ２３４のコンテンツを確認するだけで、誰からいつどのような連絡事項が入力されたのかを容易に知ることができる。
【００９８】
保守作業表示領域Ａ２３３と掲示板領域Ａ２３４との間には、鉛筆のマークが表示されたボタンＢ２４０が設けられている。このボタンＢ２４０は、マウスのクリック操作によって選択可能であり、選択されることで掲示板登録画面（連絡事項を入力し、掲示板データベースＤＢ７００に登録するための画面）を表示するためのコマンドが発行されるようになっている。
【００９９】
試薬情報表示領域Ａ２３５には、測定項目毎に試薬の残量、予測使用量、及び過不足量の情報が表示される。試薬情報表示領域Ａ２３５は、複数の行で構成されたテーブル状の領域であり、各行が１つずつ測定項目に対応している。試薬情報表示領域Ａ２３５は、２つのカラムに分けられており、左側カラムには、測定項目の名称が各行に表示される。また、右側カラムには、試薬の残量の数値情報Ｃ２４１と、試薬の過不足量の数値情報Ｃ２４２と、試薬の残量、予測使用量、過不足量を模式的に図示したグラフィック情報Ｇ２４３とが表示される。グラフィック情報Ｇ２４３には、試薬残量を示す横長のバーＧ２４４が含まれる。当該バーＧ２４４は、緑色で表示され、残量の多さが長さに対応している。つまり、残量が多いほどバーＧ２４４の長さが長く、残量が少ないほどバーＧ２４４の長さが短くなる。また、バーＧ２４４は左端（以下、「基準位置」という。）を起点として右方に延びるように表示される。つまり、バーＧ２４４が表示可能な領域の基準位置は試薬の残量が“０”の状態に対応しており、当該領域の右端の位置（以下、「上限位置」という。）は試薬が満杯の状態に対応している。試薬残量が“０”の場合には、バーＧ２４４は表示されず、試薬が満杯の場合には前記領域の基準位置から上限位置に至る範囲でバーＧ２４４が表示される。また、例えば試薬の残量が７０％の場合は、前記基準位置から上限位置に至るまでの全体の長さに対して７０％の長さのバーＧ２４４が、前記基準位置から右方へ延びるように表示される。このようにすることにより、ユーザがバーＧ２４４の長さを確認するだけで、おおよその試薬残量を視覚的に把握することが可能となる。
【０１００】
また、バーＧ２４４の上下両側には、試薬の予測使用量を示すバーＧ２４５がバーＧ２４４と平行に表示される。バーＧ２４５は灰色であり、バーＧ２４４より幅が狭くなっている。かかるバーＧ２４５は、基準位置から上限位置までの範囲において表示可能であり、予測使用量の多さが長さに対応している。つまり、予測使用量が多いほどバーＧ２４５の長さが長く、予測使用量が少ないほどバーＧ２４５の長さが短くなる。また、バーＧ２４５は基準位置を起点として右方に延びるように表示される。つまり、予測使用量が“０”の場合には、バーＧ２４５は表示されず、予測使用量が試薬容器の満杯分であるときには前記領域の基準位置から上限位置に至る範囲でバーＧ２４５が表示される。また、例えば試薬の予測使用量が試薬容器満杯分に対して７０％の場合は、前記基準位置から上限位置に至るまでの全体の長さに対して７０％の長さのバーＧ２４５が、前記基準位置から右方へ延びるように表示される。このようにすることにより、ユーザがバーＧ２４５の長さを確認するだけで、おおよその試薬の予測使用量を視覚的に把握することが可能となる。
【０１０１】
また、バーＧ２４４とＧ２４５とを隣接するように平行に表示し、しかも同一の基準位置から容量に応じて右方へ延びるように表示しているので、ユーザは現在の試薬残量と予測使用量とを容易に対比することができる。
【０１０２】
試薬残量と予測使用量との差分は過不足量Ｃ２４２として表示される。具体的には、試薬残量が予測使用量を上回るとき、試薬の過剰量、即ち、予測使用量を全て消費したときにおける試薬残量が過不足量Ｃ２４２として表示される。この場合、試薬残量のバーＧ２４４が予測使用量のバーＧ２４５よりも長く、バーＧ２４５の右端よりも右方にバーＧ２４４が突出する。この突出量が、試薬の過剰量に相当する。一方、予測使用量が試薬残量を上回るとき、試薬の不足量、即ち、試薬残量を全て消費したとき、さらにその日に必要となる試薬量が過不足量Ｃ２４２として表示される。この場合、予測使用量のバーＧ２４５が試薬残量のバーＧ２４４よりも長く、バーＧ２４４の右端よりも右方にバーＧ２４５が突出する。この突出量が、試薬の不足量に相当する。かかる不足量は、赤色のバーＧ２４６によって表示される。つまり、不足量のバーＧ２４６は、試薬残量のバーＧ２４４の右端から、予測使用量のバーＧ２４５の右端の範囲において、試薬残量のバーＧ２４４の右方に隣接するように表示される。例えば、試薬残量が試薬容器の全容量に対して６０％であって、予測使用量が試薬容器の全容量の場合、基準位置から上限位置までの全体の長さに対して６０％の長さのバーＧ２４４が基準位置から右方へ延びるように表示され、また、基準位置から上限位置に至る範囲でバーＧ２４５が表示される。このとき、バーＧ２４６は、バーＧ２４４の右端からバーＧ２４５の右端までの範囲で表示される（図１５における測定項目“ＨＢｓＡｂ”参照）。また、試薬残量が“０”であって、予測使用量が試薬容器の全容量の場合、基準位置から上限位置の全範囲において不足量のバーＧ２４６が表示される（図１５における測定項目“ＦＴ３”参照）。さらに、試薬残量が“０”であって、予測使用量が試薬容器の全容量に対して５％の場合、基準位置から上限位置に至るまで長さに対して５％の長さのバーＧ２４６が、前記基準位置から右方へ延びるように表示される（図１５における測定項目“ＴｅｓｔＡ”参照）。このようにすることで、ユーザが容易に大まかな試薬の過不足量を把握することができる。
【０１０３】
また、過不足量Ｃ２４２が０又は正の値の場合には、当該過不足量Ｃ２４２は第１色（黒色）で表示される。一方、過不足量Ｃ２４２が負の値の場合には、当該過不足量Ｃ２４２は第２色（赤色）で表示される。したがって、ユーザは過不足量Ｃ２４２の色により、どの試薬が交換の必要があるか、どの試薬が交換の必要がないかを容易に判断することができる。
【０１０４】
試薬情報表示領域Ａ２３５の上方には、「セットアップ」の文字列が表示されたボタンＢ２４７が設けられている。このボタンＢ２４７は、マウスのクリック操作によって選択可能であり、選択されることで後述するセットアップ画面を表示するためのコマンドが発行されるようになっている。
【０１０５】
消耗品情報表示領域Ａ２３６には、試薬以外の消耗品の補充・交換が必要か否かが消耗品毎に表示される。さらに具体的には、消耗品情報表示領域Ａ２３６には、キュベット供給部１０においてキュベット９０の補充が必要か否かを示すキュベット残量アイコンＣ２４８と、ピペットチップ供給部１３においてピペットチップ８０の補充が必要か否かを示すピペットチップ残量アイコンＣ２４９と、ろ紙９０ｃの交換が必要か否かを示すろ紙交換アイコンＣ２５０と、廃棄容器９１０の収容量が所定量以上であるか否かを示すゴミ箱アイコンＣ２５１と、廃液容器９２０の収容量が所定量以上であるか否かを示す排液アイコンＣ２５２と、ラインウォッシャー容器９３０の交換が必要か否かを示すラインウォッシャー交換アイコンＣ２５３と、Ｂ／Ｆ分離洗浄液容器９４０の交換が必要か否かを示すＢ／Ｆ分離洗浄液交換アイコンＣ２５４と、プローブウォッシャー容器９５０の交換が必要か否かを示すプローブウォッシャー交換アイコンＣ２５５と、Ｒ４／Ｒ５試薬の交換が必要か否かを示すＲ４／Ｒ５交換アイコンＣ２５６とが設けられている。
【０１０６】
キュベット残量アイコンＣ２４８には、キュベット供給部１０におけるキュベットの残量情報が示される。キュベット供給部１０に所定量以上のキュベットが収容されている場合には、キュベット残量アイコンＣ２４８には、灰色の図形が表示される。一方、残量センサ１０ａの出力信号により、キュベット供給部１０におけるキュベットの残量が所定量未満であるとＣＰＵ４０１により判断されると、キュベット残量アイコンＣ２４８の図形が赤色に表示される。このようにキュベット残量アイコンＣ２４８の図形の表示色により、キュベットの補充が必要か否かが示される。
【０１０７】
同様に、ピペットチップ残量アイコンＣ２４９には、ピペットチップ供給部１３におけるピペットチップの残量情報が示される。ピペットチップ供給部１３において、ピペットチップの収容量が所定量以上から所定量未満に変化した場合には、残量センサ１３ａの出力信号に基づいて、ピペットチップ残量アイコンＣ２４９の図形が灰色から赤色に切り替わる。このようにピペットチップ残量アイコンＣ２４９の図形の表示色により、ピペットチップの補充が必要か否かが示される。
【０１０８】
測定ユニット２に設置されているろ紙９０ｃの使用回数が所定値未満の場合には、ろ紙交換アイコンＣ２５０に灰色の図形が表示される。灰色は、ろ紙の交換が必要ないことを示す表示色である。一方、情報処理ユニット４のＣＰＵ４０１がろ紙の使用回数をカウントし、所定値以上に達した場合には、ＣＰＵ４０１はろ紙交換アイコンＣ２５０に赤色の図形を表示させる。赤色は、ろ紙の交換が必要であることを示す表示色である。このようにろ紙交換アイコンＣ２５０の図形の表示色により、ろ紙の交換が必要か否かが示される。
【０１０９】
ゴミ箱アイコンＣ２５１には、廃棄容器９１０における廃棄物の収容量情報が示される。廃棄容器９１０における廃棄物の収容量が所定量未満の場合には、ゴミ箱アイコンＣ２５１には、灰色の図形が表示される。一方、収容量センサ９１０ａの出力信号により、廃棄容器９１０における廃棄物の収容量が所定量以上であるとＣＰＵ４０１により判断されると、ゴミ箱アイコンＣ２５１の図形が赤色に表示される。このようにゴミ箱アイコンＣ２５１の図形の表示色により、廃棄容器９１０に収容された廃棄物の処理が必要であるか否かが示される。
【０１１０】
排液アイコンＣ２５２には、廃液容器９２０における廃液の収容量情報が示される。排液アイコンＣ２５２には、２つの図形が含まれている。２つの図形は、廃液容器９２０における２つの容器のそれぞれに対応しており、１つの容器における廃液の収容量が所定量未満の場合には、当該容器に対応する図形が灰色で表示される。一方、液面センサ９２０ａの出力信号により、前記容器における廃液の収容量が所定量以上であるとＣＰＵ４０１により判断されると、当該容器に対応する図形が赤色に表示される。他方の容器についても同様に、対応する図形の表示色により、当該容器における廃液の収容量が示される。このように排液アイコンＣ２５２の図形の表示色により、廃液容器９２０に収容された廃液の処理が必要であるか否かが示される。また、２つの図形のうちの何れか一方の下方には、横長の棒状の図形Ｃ２５２ａが表示される。図形Ｃ２５２ａは、どちらの容器が使用されているかを示している。つまり、図形Ｃ２５２ａが下方に表示されている図形に対応する容器が、その時点において使用されており、図形Ｃ２５２ａが下方に表示されていない図形に対応する容器は、その時点において使用されていない。
【０１１１】
ラインウォッシャー交換アイコンＣ２５３には、ラインウォッシャー容器９３０におけるラインウォッシャーの残量情報が示される。排液アイコンＣ２５２と同様に、ラインウォッシャー交換アイコンＣ２５３には、２つの図形が含まれている。２つの図形は、ラインウォッシャー容器９３０における２つの容器のそれぞれに対応しており、図形が灰色である場合には、対応する容器のラインウォッシャーの残量が所定量以上であり、図形が赤色である場合には、対応する容器のラインウォッシャーの残量が所定量未満であることを示す。このようにラインウォッシャー交換アイコンＣ２５３の図形の表示色により、ラインウォッシャー容器９３０の交換が必要であるか否かが示される。また、排液アイコンＣ２５２と同様に、ラインウォッシャー交換アイコンＣ２５３にも、使用中の容器を示す横長棒状の図形が示される。
【０１１２】
Ｂ／Ｆ分離洗浄液交換アイコンＣ２５４、プローブウォッシャー交換アイコンＣ２５５、及びＲ４／Ｒ５交換アイコンＣ２５６には、ラインウォッシャー交換アイコンＣ２５３と同様に、Ｂ／Ｆ分離洗浄液、プローブウォッシャー、及びＲ４／Ｒ５試薬の残量情報が示される。Ｂ／Ｆ分離洗浄液交換アイコンＣ２５４、プローブウォッシャー交換アイコンＣ２５５、及びＲ４／Ｒ５交換アイコンＣ２５６のそれぞれもまた、２つの図形が含まれており、２つの容器のそれぞれに対応している。Ｂ／Ｆ分離洗浄液交換アイコンＣ２５４、プローブウォッシャー交換アイコンＣ２５５、及びＲ４／Ｒ５交換アイコンＣ２５６の図形の表示色により、Ｂ／Ｆ分離洗浄液容器９４０、プローブウォッシャー容器９５０、及びＲ４／Ｒ５試薬供給部１５におけるＲ４／Ｒ５試薬容器の交換が必要であるか否かが示される。また、Ｂ／Ｆ分離洗浄液交換アイコンＣ２５４、プローブウォッシャー交換アイコンＣ２５５、及びＲ４／Ｒ５交換アイコンＣ２５６のそれぞれにも、使用中の容器を示す横長棒状の図形が示される。
【０１１３】
かかる保守状況確認画面Ｄ２００の消耗品情報表示領域Ａ２３６において、キュベット残量アイコンＣ２４８、ピペットチップ残量アイコンＣ２４９、ろ紙交換アイコンＣ２５０、ゴミ箱アイコンＣ２５１、排液アイコンＣ２５２、ラインウォッシャー交換アイコンＣ２５３、Ｂ／Ｆ分離洗浄液交換アイコンＣ２５４、プローブウォッシャー交換アイコンＣ２５５、及びＲ４／Ｒ５交換アイコンＣ２５６のそれぞれは、消耗品の残量及び廃棄物の収容量を示す機能を与えられている。一方、これらのアイコンはマウスのクリック操作等によって選択することはできない。
【０１１４】
消耗品情報表示領域Ａ２３６の上方には、「セットアップ」の文字列が表示されたボタンＢ２５７が設けられている。このボタンＢ２５７は、マウスのクリック操作によって選択可能であり、選択されることで後述するセットアップ画面を表示するためのコマンドが発行されるようになっている。
【０１１５】
次にメニュー領域Ａ２３２について説明する。メニュー領域Ａ２３２には、複数のボタンが縦に並べられている。これらのボタンは、メニュー画面Ｄ１００におけるメイン領域Ａ１３０に表示されているアイコンＣ１３１〜Ｃ１４１と同じ機能を有している。メニュー領域Ａ２３２の下部には、３つのタブＣ２５７〜Ｃ２５９が設けられている。これらのタブＣ２５７〜Ｃ２５９のそれぞれはマウスのクリック操作により選択可能であり、何れか１つのタブが選択されると、そのタブに対応するボタンがメニュー領域Ａ２３２に表示される。タブＣ２５７は、メニュー画面Ｄ１００のメイン領域Ａ１３０の１行目に対応しており、タブＣ２５７が選択された状態では、「ログオフ」アイコンＣ１３１に対応するログオフボタンＣ２６０と、「バージョン情報」アイコンＣ１３２に対応するバージョン情報ボタンＣ２６１と、「設定」アイコンＣ１３３に対応する設定ボタンＣ２６２と、「患者情報」アイコンＣ１３４に対応する患者情報ボタンＣ２６３とがメニュー領域Ａ２３２に表示される。これらのボタンＣ２６０〜Ｃ２６３のそれぞれには、対応するアイコンＣ１３１〜Ｃ１３４と同じ機能が割り当てられている。また、タブＣ２５８が選択された状態では、メニュー画面Ｄ１００のメイン領域Ａ１３０の２行目のアイコンＣ１３５〜Ｃ１３９に対応するボタンがメニュー領域Ａ２３２に表示され、タブＣ２５９が選択された状態では、メニュー画面Ｄ１００のメイン領域Ａ１３０の３行目のアイコンＣ１４０〜Ｃ１４１に対応するボタンがメニュー領域Ａ２３２に表示される。これにより、保守状況確認画面Ｄ２００が表示されている状態においても、ユーザはメニュー画面Ｄ１００が表示されている場合と同様の指示を情報処理ユニット４に与えることが可能となる。
【０１１６】
通常、ユーザは、一日の作業を開始する前に、種々の消耗品（試薬、キュベット、ピペットチップ等）が１日の検体分析に不足しないかどうかを調べ、不足しそうな消耗品を補充又は交換する。これとともに、ユーザは、１日の作業を開始する前に必要な保守作業を実施する。上記のように、本実施の形態に係る検体分析装置１においては、保守状況確認画面Ｄ２００を初期画面として設定可能である。保守状況確認画面Ｄ２００を初期画面として設定しておけば、ユーザは保守状況確認画面Ｄ２００を確認するだけで、円滑に作業開始の準備（消耗品の補充又は交換、及び保守作業）を行うことができる。
【０１１７】
また、検体分析装置１が起動した状態で、ユーザがログオフを行い、新たなユーザがログオンを実施する場合がある。このような起動後のログオン処理を実行した場合においても、ログオンユーザの初期画面が保守状況確認画面に設定されている場合には、ログオン処理の直後においてユーザが操作可能な画面として最初に保守状況確認画面が表示されることになる。したがって、当日必要な保守作業が全て完了しているかどうか、完了していない保守作業が残っている場合には、どの保守作業を行わなければいけないかを、新たにログオンしたユーザはログオン直後に確認することができる。したがって、保守作業の実施し忘れを防止することができ、検体測定の途中において、必要な保守作業を行うために検体測定を中断することを防止し、効率的に検体測定を実施することが可能となる。
【０１１８】
かかる保守状況確認画面Ｄ２００において、対象日を当日から他の日付に変更することができる。ユーザは、対象日指定部Ｃ２３７に、日付を入力することにより対象日を指定することが可能である。情報処理ユニット４のＣＰＵ４０１は、ユーザから対象日の指定を受け付けた場合に、指定された対象日に実施すべき保守作業を保守作業表示領域Ａ２３３に表示させ、対象日における試薬の過不足量の情報を試薬情報表示領域Ａ２３５に表示させる。つまり、ユーザが対象日指定部Ｃ２３７において対象日を指定した場合には、ＣＰＵ４０１が、指定された日付を対象日として上述したステップＳ２１０およびＳ２１１を実行し、これらの処理において取得された情報に基づいて、保守状況確認画面４２０を更新する。
【０１１９】
また、保守状況確認画面Ｄ２００からは、セットアップ画面及びユーザメンテナンス画面に表示を遷移させることが可能である。以下、検体分析装置１の表示画面切替処理について説明する。図１６は、検体分析装置１の表示画面切替処理の手順を示すフローチャートである。
【０１２０】
保守状況確認画面Ｄ２００が表示されている状態において、ＣＰＵ４０１は、ボタンＢ２３９の選択を受け付けたか否か、即ち、ユーザからユーザメンテナンス画面の表示指示を受け付けたか否かを判別する（ステップＳ５０１）。ユーザがマウスのクリック操作によりボタンＢ２３９を選択すると、ＣＰＵ４０１がユーザメンテナンス画面の表示指示を受け付ける（ステップＳ５０１においてＹＥＳ）。この場合、ＣＰＵ４０１は、保守予定実績データベースＤＢ５００から登録されている保守作業の情報を読み出し（ステップＳ５０２）、読み出した情報に基づいてユーザメンテナンス画面を表示部４２０に表示させ（ステップＳ５０３）、表示画面切替処理を終了する。これにより、表示画面が保守状況確認画面Ｄ２００からユーザメンテナンス画面に切り替わる。
【０１２１】
一方、ステップＳ５０１において、ユーザからユーザメンテナンス画面の表示指示を受け付けていない場合には（ステップＳ５０１においてＮＯ）、ＣＰＵ４０１は、ボタンＢ２４７又はＢ２５７の選択を受け付けたか否か、即ち、ユーザからセットアップ画面の表示指示を受け付けたか否かを判別する（ステップＳ５０４）。ユーザがマウスのクリック操作によりボタンＢ２４７又はＢ２５７を選択すると、ＣＰＵ４０１がセットアップ画面の表示指示を受け付ける（ステップＳ５０４においてＹＥＳ）。この場合、ＣＰＵ４０１は、試薬管理データベースＤＢ１００から登録されている試薬の情報を読み出し（ステップＳ５０５）、読み出した情報に基づいてセットアップ画面を表示部４２０に表示させ（ステップＳ５０６）、表示画面切替処理を終了する。これにより、表示画面が保守状況確認画面Ｄ２００からセットアップ画面に切り替わる。
【０１２２】
また、ステップＳ５０４において、ユーザからセットアップ画面の表示指示を受け付けていない場合には（ステップＳ５０４においてＮＯ）、ＣＰＵ４０１は、ステップＳ５０１へ処理を戻す。
【０１２３】
図１７は、ユーザメンテナンス画面の構成を示す図である。ユーザメンテナンス画面Ｄ３００は、連続した複数の日付がカレンダー形式で表示されるカレンダー領域Ａ３１０と、保守作業に使用される保守作業領域Ａ３２０とを有している。
【０１２４】
カレンダー領域Ａ３１０には、１５日間の日付が横に並べて表示される日付表示領域Ａ３１１が設けられている。日付表示領域Ａ３１１においては、左方に向かうにしたがって日付が過去に遡り、右方に向かうにしたがって日付が将来に進行する順番で、１５日間の日付が表示される。日付表示領域Ａ３１１において、各日付は１つずつ対応するマスの中に表示されている。各マスはマウスのクリック操作により選択可能であり、ユーザは任意のマスを選択することで、当該マスに対応する日付を選択することが可能である。また、カレンダー領域Ａ３１０の右下部分には、「今日に移動」の文字列が表示されたボタンＢ３１２と、左向きの矢印マークが表示されたボタンＢ３１５と、右向きの矢印マークが表示されたボタンＢ３１６とが設けられている。これらのボタンＢ３１２，３１５，３１６はマウスのクリック操作により選択可能である。ボタンＢ３１２が選択されると、当日のマスが選択される。また、ボタンＢ３１２が１回選択されると、選択中のマスの選択が解除され、そのマスより１日過去のマスが新たに選択される。ボタンＢ３１３が１回選択されると、選択中のマスの選択が解除され、そのマスより１日将来のマスが新たに選択される。
【０１２５】
選択されたマスは、選択色にて表示される。図１７においては、２０１０年１１月２５日が選択された例が示されている。土曜日及び日曜日を含む休日のマスは、他の日（平日）のマスとは異なる色で表示される。これにより、ユーザが休日と平日とを容易に区別することが可能となる。また、各マスには、自動ウエイクアップの設定時刻と、自動シャットダウンの設定時刻とが表示される。さらに、当日の日付のマスには、「今日」の文字列が表示される。これにより、ユーザは１５日の日付の中で当日を容易に識別することができる。
【０１２６】
日付表示領域Ａ３１１の上方には、第何週かを示す週表示領域Ａ３１３が設けられており、週表示領域Ａ３１３のさらに上方には、何年何月かを示す月表示領域Ａ３１４が設けられている。
【０１２７】
カレンダー領域Ａ３１０において、１つの日付が選択された場合には、保守作業領域Ａ３２０に、選択された日付において予定されている保守作業の詳細情報が表示される。保守作業領域Ａ３２０についてさらに詳しく説明する。保守作業領域Ａ３２０の左上部分には、自動ウエイクアップの設定時刻を表示するための表示ボックスＣ３２１と、自動シャットダウンの設定時刻を表示するための表示ボックスＣ３２３とが左右に並べて設けられている。表示ボックスＣ３２１の左方には、自動ウエイクアップの設定画面を表示するためのボタンＢ３２２が設けられており、表示ボックスＣ３２３の左方には、自動シャットダウンの設定画面を表示するためのボタンＢ３２４が設けられている。ボタンＢ３２２及びＢ３２４のそれぞれはマウスのクリック操作により選択可能である。ボタンＢ３２２が選択されると、自動ウエイクアップの設定画面が表示され、ユーザは当該設定画面において自動ウエイクアップの時刻を設定可能である。ボタンＢ３２４が選択されると、自動シャットダウンの設定画面が表示され、ユーザは当該設定画面において自動シャットダウンの時刻を設定可能である。自動ウエイクアップの時刻が設定されると、当該時刻に自動的に検体分析装置１が起動され、自動シャットダウンの時刻が設定されると、当該時刻に自動的に検体分析装置１がシャットダウンされる。
【０１２８】
保守作業領域Ａ３２０における表示ボックスＣ３２１及びＣ３２３の下方には、特記事項を表示するための３つの表示ボックスＣ３２５〜Ｃ３２７が上下に並べて設けられている。最も上に配置された表示ボックスＣ３２５には、月の特記事項が表示される。中央に配置された表示ボックスＣ３２６には、週の特記事項が表示される。また、最も下に配置された表示ボックスＣ３２７には、日の特記事項が表示される。各表示ボックスＣ３２５〜Ｃ３２７の右方には、特記事項を入力するためのボタンＢ３２８〜Ｂ３３０が設けられている。ボタンＢ３２８〜Ｂ３３０のそれぞれはマウスのクリック操作により選択可能である。ボタンＢ３２８が選択されると、月の特記事項の設定画面が表示され、ユーザは当該設定画面において月の特記事項を設定可能である。ボタンＢ３２９（Ｂ３３０）についても、ボタンＢ３２８と同様に、選択されると週の特記事項（日の特記事項）の設定画面が表示され、ユーザは当該設定画面において週の特記事項（日の特記事項）を設定可能である。
【０１２９】
保守作業領域Ａ３２０における表示ボックスＣ３２１、Ｃ３２３、Ｃ３２５〜Ｃ３２７の右方には、選択された日付において予定されている保守作業を表示するための表示ボックスＣ３３１が設けられている。この表示ボックスＣ３３１には、予定されている保守作業の情報が一覧表示される。表示ボックスＣ３３１において、予定された保守作業の情報が各行に１つずつ表示される。一行の最も左側は、その行の保守作業が実施済みか否かを示す領域であり、実施済みの場合にはチェックマークアイコンが表示される。また、保守作業が未実施である場合には、チェックマークアイコンは表示されない。これにより、ユーザは保守作業が実施されたか否かを容易に判別可能である。保守作業が実施済みか否かを示す領域の右方には、予定されている保守作業の保守項目が表示される領域が設けられている。さらにその右方には、実施予定時刻が表示される領域が設けられ、さらにその右方には、実施者が表示される領域が設けられている。
【０１３０】
表示ボックスＣ３３１の右方には、保守作業の予定を設定するためのボタンＢ３３２が設けられている。ボタンＢ３３２はマウスのクリック操作により選択可能である。ボタンＢ３３２が選択されると、保守作業の予定の設定画面が表示され、ユーザは当該設定画面において保守作業の予定を設定可能である。
【０１３１】
また、表示ボックスＣ３３１における各行は、マウスのクリック操作により選択可能である。任意の行が選択されると、その行に対応する保守作業の実施者を設定するための設定画面が表示される。ユーザは、当該設定画面において、実施者のユーザ名を入力可能である。実施者のユーザ名が入力され、登録実行の指示が与えられると、保守予定実績データベースＤＢ５００の当該保守作業に対応するレコードのフィールドＦ５０３に、入力された実施者のユーザ名が登録され、当該レコードのフィールドＦ５０４に、登録指示が与えられた日時が実施日時として登録される。このようにして保守作業の実施者及び実施日時が保守予定実績データベースＤＢ５００に登録されると、表示ボックスＣ３３１において実施者及び実施日時が登録された保守作業の行の左端にチェックマークが表示され、またその行に実施者のユーザ名が表示される。
【０１３２】
図１８は、セットアップ画面の構成を示す図である。セットアップ画面Ｄ４００は、試薬の交換を実行したり、消耗品の補充又は交換を実行したり、廃棄物の処理をしたりするための画面である。セットアップ画面Ｄ４００には、試薬の交換に使用される試薬情報表示領域Ａ４１０と、消耗品の交換に使用される消耗品情報表示領域Ａ４２０とが設けられている。
【０１３３】
試薬情報表示領域Ａ４１０には、測定ユニット２の試薬設置部１６に設置されている試薬の情報が表示される。具体的には、試薬情報表示領域Ａ４１０には、複数の試薬アイコンＣ４１１が含まれている。それぞれの試薬アイコンＣ４１１は、試薬容器に対応しており、対応する試薬に関する情報（測定項目及び残量）が試薬アイコンＣ４１１の内部に示される。また、各試薬アイコンＣ４１１の上側部分には、試薬容器の保持位置を示す数字が記されている。
【０１３４】
試薬アイコンＣ４１１は、２重の四角環状に並べられている。内側の四角環状に並べられた各試薬アイコンＣ４１１は、試薬設置部１６の内側テーブルに保持された試薬容器、つまり、Ｒ１／Ｒ３試薬容器に対応している。一方、外側の四角環状に並べられた各試薬アイコンＣ４１１は、試薬設置部１６の外側テーブルに保持された試薬容器、つまり、Ｒ２試薬容器に対応している。
【０１３５】
試薬の残量情報は、試薬アイコンＣ４１１の内部の数字だけでなく、試薬アイコンの色によっても示される。十分に試薬残量がある試薬容器に対応する試薬アイコンＣ４１１は、白色で表示される。試薬が容器内に残ってはいるが少量であり、もうすぐ試薬切れになる試薬容器に対応する試薬アイコンＣ４１２は、橙色で表示される。また、試薬の残量が０の試薬容器に対応する試薬アイコンＣ４１３は、赤色に表示される。また、残量は十分にあっても、検量線が作成されていない試薬容器に対応する試薬アイコンは、橙色で表示され、使用期限切れの試薬容器に対応する試薬アイコンは、赤色で表示される。
【０１３６】
各試薬アイコンＣ４１１，Ｃ４１２，Ｃ４１３はマウスのクリック操作により選択可能である。これにより、ユーザは試薬を選択することが可能である。試薬アイコンが選択されると、その試薬アイコンが太線Ｃ４１４で縁取られる。試薬アイコンが選択されると、内側の四角環状に並べられた試薬アイコン群のさらに内側の領域Ａ４１５に、選択された試薬の詳細情報が表示される。具体的には、選択された試薬の測定項目名、ロット番号、残量、使用期限が、領域Ａ４１５に表示される。また、選択された試薬において、「期限切れ」、「検量線なし」、「残量少」等のエラーが発生している場合には、対応するエラーメッセージが表示される。また、領域Ａ４１５には、選択された試薬を交換するための交換ボタンＢ４１６が表示される。この交換ボタンＢ４１６は、マウスのクリック操作により選択可能である。交換ボタンＢ４１６が選択されると、測定ユニット２に当該選択された試薬の交換を指示するコマンドが発行され、測定ユニット２において試薬交換動作が実行される。試薬交換動作においては、試薬設置部１６の内側テーブル又は外側テーブルが回転し、交換対象の試薬容器が交換位置に配置される。この交換位置に配置されている試薬容器を、ユーザは試薬設置部１６から取り出すことが可能であり、また、新たな試薬を交換位置に設置することが可能である。このように新たな試薬を交換位置に設置することで、試薬の交換が行われる。
【０１３７】
消耗品情報表示領域Ａ４２０には、保守状況確認画面Ｄ２００の消耗品情報表示領域Ａ２３６と同様のアイコン群が表示される。具体的には、消耗品交換領域Ａ４２０には、キュベット供給部１０においてキュベット９０の補充が必要か否かを示すキュベット残量アイコンＣ４２１と、ピペットチップ供給部１３においてピペットチップ８０の補充が必要か否かを示すピペットチップ残量アイコンＣ４２２と、ろ紙９０ｃの交換が必要か否かを示すろ紙交換アイコンＣ４２３と、廃棄容器９１０の収容量が所定量以上であるか否かを示すゴミ箱アイコンＣ４２４と、廃液容器９２０の収容量が所定量以上であるか否かを示す排液アイコンＣ４２５と、ラインウォッシャー容器９３０の交換が必要か否かを示すラインウォッシャー交換アイコンＣ４２６と、Ｂ／Ｆ分離洗浄液容器９４０の交換が必要か否かを示すＢ／Ｆ分離洗浄液交換アイコンＣ４２７と、プローブウォッシャー容器９５０の交換が必要か否かを示すプローブウォッシャー交換アイコンＣ４２８と、Ｒ４／Ｒ５試薬の交換が必要か否かを示すＲ４／Ｒ５交換アイコンＣ４２９とが設けられている。これらのアイコンＣ４２１〜Ｃ４２９の外観形態は、保守状況確認画面Ｄ２００の消耗品情報表示領域Ａ２３６に設けられたアイコンＣ２４８〜Ｃ２５６の外観形態と同様であるので、その説明を省略する。
【０１３８】
消耗品情報表示領域Ａ４２０に設けられた各アイコンＣ４２１〜Ｃ４２９は、マウスのクリック操作により選択可能である。アイコンＣ４２１〜Ｃ４２９のうちの１つが選択されると、対応する消耗品の処理動作が測定ユニット２において実行される。例えば、キュベット残量アイコンＣ４２１が選択されると、キュベット補充動作が測定ユニット２において実行され、ラインウォッシャー交換アイコンＣ４２６が選択されると、ラインウォッシャー容器の交換動作が測定ユニット２において実行される。
【０１３９】
（その他の実施の形態）
上記の実施の形態においては、当日に交換が必要な試薬の情報、当日に補充又は交換が必要な消耗品（キュベット、ピペットチップ等）の情報、及び、当日に実施すべき保守作業の情報を、保守状況確認画面に示す構成について述べたが、これに限定されるものではない。当日を含む複数日、例えば、当日と明日との２日間において、交換が必要な試薬の情報、補充又は交換が必要な消耗品の情報、及び、実施すべき保守作業の情報を保守状況確認画面に示す構成であってもよいし、当日の所定時間、例えば、９時〜１２時において、交換が必要な試薬の情報、補充又は交換が必要な消耗品の情報、及び、実施すべき保守作業の情報を、保守状況確認画面に示す構成としてもよい。
【０１４０】
また、本実施の形態においては、起動処理の直後に表示する初期画面として、メニュー画面と保守状況確認画面とを設定可能な構成について述べたが、これに限定されるものではない。初期画面として必ず保守状況確認画面を表示し、他の画面を初期画面とすることはできないように構成してもよい。
【０１４１】
また、本実施の形態においては、検体分析装置１をマルチユーザシステムとして構成し、起動処理においてログオン処理を実行し、ログオンするユーザが保守状況確認画面を初期画面に設定している場合に、起動処理の直後に保守状況確認画面を表示する構成について述べたが、これに限定されるものではない。マルチユーザシステムではなく、起動処理においてログオン処理を実行しない構成とし、起動直後に初期画面として保守状況確認画面を表示する構成としてもよい。
【０１４２】
また、本実施の形態においては、保守状況確認画面Ｄ２００が掲示板領域Ａ２３４を含む構成について述べたが、これに限定されるものではない。保守状況確認画面に掲示板領域を設けない構成とすることもできる。
【０１４３】
また、本実施の形態においては、保守状況確認画面Ｄ２００に対象日指定部Ｃ２３７を設け、ユーザが当日以外の対象日を指定可能とし、指定された対象日に交換が必要な試薬の情報、対象日に補充又は交換が必要な試薬以外の消耗品の情報、及び、対象日に実施が必要な保守作業の情報を保守状況確認画面に表示する構成について述べたが、これに限定されるものではない。当日以外の対象日をユーザが指定することができないようにし、保守状況確認画面においては、常に当日交換が必要な試薬の情報、当日補充又は交換が必要な試薬以外の消耗品の情報、及び、当日実施が必要な保守作業の情報を保守状況確認画面に表示する構成としてもよい。
【０１４４】
また、本実施の形態においては、保守状況確認画面Ｄ２００の試薬情報表示領域Ａ２３５において、試薬の残量と、当日の予測使用量と、当日の過不足量とを表示する構成について述べたが、これに限定されるものではない。試薬情報表示領域Ａ２３５に、試薬の当日の過不足量のみを表示する構成としてもよいし、過不足量と試薬の残量とを表示し、予測使用量を表示しない構成としてもよい。また、試薬の残量と予測使用量とを表示し、過不足量を表示しない構成とすることもできる。
【０１４５】
また、本実施の形態においては、免疫分析装置である検体分析装置１について述べたが、これに限定されるものではない。検体分析装置を、血球計数装置、血液凝固測定装置、尿中有形成分分析装置、又は尿定性分析装置等、人間から採取した検体を分析する免疫分析装置以外の検体分析装置とし、その検体分析装置において特定の期間（例えば、当日）に補充又は交換が必要な消耗品の情報及び前記特定の期間に実施が必要な保守作業の情報を保守状況確認画面に表示する構成としてもよい。
【符号の説明】
【０１４６】
１  検体分析装置
２  測定ユニット
３  検体搬送ユニット
４  情報処理ユニット
４０１  ＣＰＵ
４０２  ＲＯＭ
４０３  ＲＡＭ
４０４  ハードディスク
４１０  入力部
４２０  表示部
１０  キュベット供給部
１３  ピペットチップ供給部
１６  試薬設置部
【図１】
0005806900.tif 000002
【図２】
0005806900.tif 000003
【図３】
0005806900.tif 000004
【図４】
0005806900.tif 000005
【図５】
0005806900.tif 000006
【図６】
0005806900.tif 000007
【図７】
0005806900.tif 000008
【図８】
0005806900.tif 000009
【図９】
0005806900.tif 000010
【図１０】
0005806900.tif 000011
【図１１Ａ】
0005806900.tif 000012
【図１１Ｂ】
0005806900.tif 000013
【図１２】
0005806900.tif 000014
【図１３】
0005806900.tif 000015
【図１４】
0005806900.tif 000016
【図１５】
0005806900.tif 000017
【図１６】
0005806900.tif 000018
【図１７】
0005806900.tif 000019
【図１８】
0005806900.tif 000020